(57)【要約】本発明は、野菜の鮮度保持用又は栽培用箱に関し、野菜を鮮度保持又は栽培するための保温箱本体と、前記保温箱本体の背面に配置され、前記保温箱本体に対して電気制御を行うための電気制御部と、前記保温箱本体内に栄養液を循環供給するための管路アセンブリとを備えている。本発明によれば、野菜の長期間の鮮度保持することができ、構造が簡潔であり、メンテナンスが容易である。
2016519944.tif 000002
【特許請求の範囲】
【請求項１】
野菜を鮮度保持又は栽培するための保温箱本体と、
前記保温箱本体の背面に配置され、前記保温箱本体に対して電気制御を行うための電気制御部と、
前記保温箱本体内に栄養液を循環供給するための管路アセンブリとを備えていることを特徴とする野菜の鮮度保持用又は栽培用箱。
【請求項２】
前記電気制御部は、前記保温箱本体の内表面から露出した少なくとも１つの第１電磁接続部を含み、
前記保温箱本体内に、前記管路アセンブリと水路連通された少なくとも１つの野菜積載部材がさらに配置され、
前記野菜積載部材の一端には、対応する前記第１電磁接続部と接続するための第２電磁接続部が設けられていることを特徴とする請求項１に記載の野菜の鮮度保持用又は栽培用箱。
【請求項３】
前記保温箱本体内に、上方から下方まで前記野菜積載部材に光照射を提供するために用いられ、前記第１電磁接続部と接続された光照射素子がさらに配置されていることを特徴とする請求項２に記載の野菜の鮮度保持用又は栽培用箱。
【請求項４】
複数の前記野菜積載部材が、前記保温箱本体内において、上方から下方まで間隔をおいて並行に配置されていることを特徴とする請求項３に記載の野菜の鮮度保持用又は栽培用箱。
【請求項５】
複数の前記野菜積載部材が、それぞれ、前記保温箱本体内に挿抜可能に配置され、
前記第２電磁接続部と前記第１電磁接続部とは、挿抜可能に電気接続され、
前記複数の野菜積載部材のいずれかの前記第２電磁接続部と前記電気制御部の前記第１電磁接続部との電気接続が切断される際に、前記電気制御部は、前記管路アセンブリと対応する前記野菜積載部材との水路接続を切断させることを特徴とする請求項２に記載の野菜の鮮度保持用又は栽培用箱。
【請求項６】
前記保温箱本体内に、上容器及び下容器が配置され、
前記管路アセンブリは、前記上容器と前記下容器とを連通する液体循環管路を含み、前記液体循環管路には、上方から下方まで少なくとも２つの貫通孔が間隔をおいて設けられ、前記貫通孔を介して、対応する少なくとも２つの前記野菜積載部材と連通されていることを特徴とする請求項２に記載の野菜の鮮度保持用又は栽培用箱。
【請求項７】
前記野菜積載部材は、高位液体入口及び低位液体出口を含み、
前記高位液体入口は、前記上容器と連通し、前記低位液体出口は、前記下容器と連通し、前記上容器内の栄養液は、重力の作用に基づいて、前記野菜積載部材を経て前記下容器まで還流することを特徴とする請求項６に記載の野菜の鮮度保持用又は栽培用箱。
【請求項８】
前記液体循環管路は、挿抜可能な継手を介して、前記野菜積載部材と水路連通されていることを特徴とする請求項６に記載の野菜の鮮度保持用又は栽培用箱。
【請求項９】
前記保温箱本体の背面に、前記保温箱本体の内部を保温するためのヒートポンプシステムがさらに設けられ、
前記電気制御部は、前記ヒートポンプシステムの状態を制御するために用いられることを特徴とする請求項１に記載の野菜の鮮度保持用又は栽培用箱。
【請求項１０】
前記保温箱本体内に、前記電気制御部に温度感知信号を発信するための温度センサ及び前記電気制御部に湿度感知信号を発信するための湿度センサの少なくともいずれか一方がさらに設けられていることを特徴とする請求項１に記載の野菜の鮮度保持用又は栽培用箱。
【請求項１１】
前記管路アセンブリは、前記下容器内の栄養液を前記上容器内に送るための液体ポンプをさらに含むことを特徴とする請求項６に記載の野菜の鮮度保持用又は栽培用箱。
【請求項１２】
前記液体循環管路には、前記貫通孔の水の流れの開通及び遮断を制御するためのバルブが取り付けられ、
前記電気制御部は、前記バルブの状態を制御するために用いられることを特徴とする請求項６に記載の野菜の鮮度保持用又は栽培用箱。
【発明の詳細な説明】
【技術分野】
【０００１】
本発明は、野菜の鮮度保持の技術分野に関し、特に、野菜の鮮度保持用又は栽培用箱に関する。
【背景技術】
【０００２】
現代の生活の中で、人々は冷蔵庫の冷蔵技術を採用して野菜の鮮度保持を実現する。しかし、冷蔵庫は、野菜などの食品の腐食を遅らせるだけであり、しかも、腐食を遅らせる時間も短い。
【発明の概要】
【発明が解決しようとする課題】
【０００３】
人々の生活ニーズが高まるにつれて、野菜が収穫、販売された後に、成長停滞又は低速成長の状態が保たれ、野菜の長期間の鮮度保持を確保可能な商品が期待されつつある。
【課題を解決するための手段】
【０００４】
本発明に係るいくつかの態様ついて、基本的な理解を提供するために、以下、本発明について簡単に説明する。この概要は、本発明に関する網羅的なものではないことについて理解すべきである。以下の説明は、本発明の要旨又は重要な部分を意図的に確定するものでもなく、本発明の範囲を意図的に限定するものでもない。以下の説明の目的は、後述する更なる詳細の説明の前置きとして、簡潔な形式でいくつかの概念を提供することにすぎない。
【０００５】
本発明は、野菜の鮮度を長期間保つための野菜の鮮度保持用又は栽培用箱において、野菜を鮮度保持又は栽培するための保温箱本体と、前記保温箱本体の背面に配置され、前記保温箱本体に対して電気制御を行うための電気制御部と、前記保温箱本体内に栄養液を循環供給するための管路アセンブリとを備えている。
【０００６】
本発明に係る技術的解決手段において、保温箱本体内で野菜を鮮度保持又は栽培し、管路アセンブリを介して栄養液を保温箱本体内に循環させることによって、野菜が栄養成分を吸収し続けることができる。即ち、野菜が収穫、販売された後にも、成長停滞又は低速成長の状態が保たれ、長期間の鮮度保持を確保することができる。また、電気制御部によって保温箱本体を制御することで、箱本体内において野菜の必要な成長環境が保たれる。さらに、電気制御部は、保温箱本体の背面に配置されているため、構造が簡潔で、メンテナンスが容易であり、外観も美しい。
【図面の簡単な説明】
【０００７】
【図１】本発明の一実施形態における野菜の鮮度保持用又は栽培用箱の構造概略図である。
【図２】図１における野菜の鮮度保持用又は栽培用箱の分解図である。
【図３】本発明に係る野菜の鮮度保持用又は栽培用箱における電気制御部が保温箱本体に対して制御を行う際の電気接続の概略図である。
【図４】本発明に係る野菜の鮮度保持用又は栽培用箱における管路アセンブリと上容器、下容器及び野菜積載部材との間の水路接続の概略図である。
【発明を実施するための形態】
【０００８】
本発明の目的、技術的解決手段及び利点がより明確になるように、以下、図面と合わせて、本発明に係る実刑形態の技術的解決手段について、明確かつ完全に説明する。以下に説明する実施形態は、本発明の実施形態の一部にすぎず、実施形態のすべてでないことは明らかである。本発明の１つの図面又は１つの実施形態に記載されている要素及び特徴は、１つ又は複数のほかの図面又は実施形態に表示された要素及び特徴と結合することができる。本発明の目的を明確にするために、図面及び説明において、本発明に関係せず且つ当業者にとって既知の部品及び処理の表示及び記載について省略することを理解されたい。本発明における実施形態に基づいて、当業者が創造的な活動を行っていない前提で、取得されるすべてのほかの実施形態は、本発明の保護範囲に属する。
【０００９】
図１は、本発明の一実施形態における野菜の鮮度保持用又は栽培用箱の構造概略図である。図２は、図１における野菜の鮮度保持用又は栽培用箱の分解図である。図３は、本発明に係る野菜の鮮度保持用又は栽培用箱における電気制御部が保温箱本体に対して制御を行う際の電気接続の概略図である。図１、図２及び図３に示すように、本発明の一実施形態における野菜の鮮度保持用又は栽培用箱は、野菜を鮮度保持又は栽培するための保温箱本体１０と、保温箱本体１０の背面に配置され、保温箱本体１０に対して電気制御を行うための電気制御部と、保温箱本体１０内に栄養液を循環供給するための管路アセンブリとを備えている。
【００１０】
保温箱本体１０内で野菜を鮮度保持又は栽培し、管路アセンブリを介して栄養液を箱本体内に循環させることによって、野菜が栄養成分を吸収し続けることができる。即ち、野菜が収穫、販売された後にも、成長停滞又は低速成長の状態が保たれ、長期間の鮮度保持を確保することができる。また、電気制御部によって保温箱本体１０を制御することで、保温箱本体１０内において野菜の必要な成長環境が保たれる。さらに、電気制御部は、保温箱本体１０の背面に配置されているため、構造が簡潔で、メンテナンスが容易であり、外観も美しい。
【００１１】
電気制御部は、保温箱本体１０の内表面から露出した第１電磁接続部２３を含む。保温箱本体１０内には、上記の管路アセンブリと水路連通された少なくとも１つの野菜積載部材５０がさらに配置されている。各野菜積載部材５０の一端には、対応する第１電磁接続部２３と接続するための第２電磁接続部５３が設けられている。この方式によって、電気制御部と野菜積載部材５０に配置された電気回路とを接続することができる。例えば、野菜積載部材５０には、光照射素子２２及び／又は霧化器２４が配置されてよく、第２電磁接続部５３を介して第１電磁接続部２３と接続されることで、電気制御部による制御の下で作業することができる。光照射素子２２は、具体的には、各野菜積載部材５０に上方から下方まで光照射を提供するために用いられる。例えば、各野菜積載部材５０の上方に、第１電磁接続部２３を介して電気制御部と電気接続された導光板を取り付けてよい。電気制御部を介して、導光板の光度を、野菜積載部材５０上の野菜の成長に適する光度の範囲内に制御することができる。
【００１２】
光照射素子２２を介して上方から下方まで各野菜積載部材５０に光照射を提供し、第１電磁接続部２３と接続させることによって、電気制御部を介してその状態を制御することが実現される。これにより、光照射の均一性を確保し、実際のニーズに応じて調整を行い、野菜積載部材５０上の野菜に必要な光照射環境を提供することができ、野菜の鮮度保持に有益である。
【００１３】
具体的には、図１に示すように、本発明に係る野菜の鮮度保持用又は栽培用箱は、複数の野菜積載部材５０を備えてよい。複数の野菜積載部材５０は、上方から下方まで間隔をおいて並行に配置されている。
【００１４】
この方式によって、異なる種類の野菜を、異なる野菜積載部材５０の上に置くことができる。これによって、ユーザによる出し入れが便利になり、また、異なるエリアによって異なる種類の野菜に対する鮮度保持が実現される。
【００１５】
さらに、上方に位置する野菜積載部材５０の底部には、その下方の野菜積載部材５０に光照射を提供するための光照射素子２２が配置されている。即ち、各野菜積載部材５０の底部に配置された光照射素子２２は、その下方の野菜積載部材５０に光照射を提供することに用いられ、野菜積載部材５０に上方から下方までの光照射を提供することが実現される。この方式によって、空間の節約が可能であり、構造が簡単であり、配線が便利である。さらに、最上層の野菜積載部材５０に光照射を提供するための光照射素子２２は、保温箱本体１０の内部空間の頂部に配置されてよい。
【００１６】
霧化器２４は、具体的には、栄養液を霧化することに用いられ、野菜が栄養を吸収するのに役に立ち、鮮度をより有効に保持することができる。さらに、電気制御部が霧化器２４の状態を制御することによって、保温箱本体１０内の湿度を制御することができ、また、野菜が栄養を吸収する程度をも制御することができ、野菜の成長が制御可能な状態が保たれる。
【００１７】
霧化器２４は、具体的には、野菜積載部材５０の底部の中心部に取り付けられてよい。この構成は、野菜が根部から均等に栄養を吸収するのに役に立つ。
【００１８】
本実施形態において、光照射素子２２及び／又は霧化器２４は、第２電磁接続部５３を介して第１電磁接続部２３と接続され、さらに電気制御部と接続されている。これにより、光照射素子２２及び／又は霧化器２４は、野菜積載部材５０に配置されていない状況において、独立した配線を介して電気制御部と接続し、又は、ほかの方式で電気制御部と接続することができる。
【００１９】
代替方法として、各野菜積載部材５０は、保温箱本体１０内に挿抜可能に配置され、第２電磁接続部５３と第１電磁接続部２３とは、挿抜可能に接続されている。各野菜積載部材５０における第２電磁接続部５３と電気制御部における第１電磁接続部２３との電気接続が切断される際に、電気制御部は、管路アセンブリと対応する野菜積載部材５０との水路接続を切断させる。
【００２０】
上記の方式によって、野菜積載部材５０を保温箱本体１０から容易に引き出すことができ、野菜の出し入れが便利であり、メンテナンスにも便利である。さらに、上記の方式によって、各野菜積載部材５０は、単独で作業可能であり、保温箱本体１０から引き出された後、ほかの野菜積載部材５０の正常作業に影響を与えず、また、電気接続及び水路接続を介して連動し、野菜積載部材５０が取り出される際の水漏れが回避される。
【００２１】
具体的な実施形態として、管路アセンブリにおける各野菜積載部材５０と水路接続される箇所に挿抜可能な継手を取り付け、当該継手箇所にバルブを取り付けることができる。電気制御部と１つの野菜積載部材５０との電気接続が切断された後、対応するバルブは、直ちに電気制御部の制御によって閉鎖される。これにより、管路アセンブリから野菜積載部材５０への栄養液の通路が遮断される。
【００２２】
具体的には、各野菜積載部材５０は、溶液積載箱と、溶液積載箱の上方に位置する野菜シェルフとを含む。霧化器２４は、溶液積載箱の中に配置されてよい。野菜の根部が中に挿入できるように、野菜シェルフには、当該溶液積載箱まで連通する複数の貫通孔を設けることができる。
【００２３】
さらに、溶液積載箱内において、突出した流れガイドの仕切によって曲がりくねった液体流路が形成されている。野菜シェルフは、当該液体流路の上面から離隔している。流れガイドの仕切を設けることによって、溶液積載箱内に栄養液が滞留する死角の形成が回避され、管路アセンブリにおける栄養液のスムーズな循環に有益である。また、野菜シェルフが液体流路の上面から離隔されたことによって、野菜の根部が液体に浸されることによる腐敗が回避される。
【００２４】
図４は、本発明に係る野菜の鮮度保持用又は栽培用箱における、管路アセンブリと、上容器３２、下容器３４及び野菜積載部材５０との間の水路接続の概略図である。図３を参照して、図４における上容器３２、下容器３４は、保温箱本体１０内に配置されてよく、上容器３２は、具体的には保温箱本体１０の頂部に配置され、下容器３４は、具体的には保温箱本体１０の底部に配置されてよい。上記の管路アセンブリは、上容器３２と下容器３４とを連通する液体循環管路３６を含む。液体循環管路３６には、上方から下方まで少なくとも２つの貫通孔３６２が間隔をおいて設けられ、貫通孔３６２を介して、対応する少なくとも２つの野菜積載部材５０と連通されている。
【００２５】
従って、栄養液は、上容器３２、液体循環管路３６、各野菜積載部材５０、下容器３４の間で、順次に循環可能であり、単独の循環通路が形成される。この方式によって、各野菜積載部材５０の独立した作業が可能となる。また、液体循環管路３６との水路接続が切断される際に、ほかの野菜積載部材５０の正常作業に影響が及ばない。また、この方式によって、栄養液が下容器３４から上容器３２に流れた後に、分かれて各野菜積載部材５０まで流れる。これにより、野菜積載部材５０の高さの不均一による液圧の相違が回避され、さらに、栄養液の供給不均一という問題も回避される。
【００２６】
さらに、各野菜積載部材５０は、高位液体入口及び低位液体出口を含む。高位液体入口は、上容器３２と連通し、低位液体出口は、下容器３４と連通している。上容器３２内の栄養液は、重力の作用に基づいて、各野菜積載部材５０を経て下容器３４まで還流する。栄養液は、重力の作用に基づいて野菜積載部材５０を経ることで、比較的遅い速度で循環を行う。これにより、コストを追加しない前提で、過度の循環速度によって引き起される、野菜が成長環境に適応しない問題が回避される。上記の説明からわかるように、高位液体入口及び低位液体出口は、具体的には、溶液積載箱に配置されてよい。
【００２７】
代替方法として、液体循環管路３６には、各貫通孔３６２の水の流れの開通及び遮断を制御するためのバルブが取り付けられてもよい。電気制御部は、各バルブの状態を制御するためにも用いられる。各貫通孔３６２に対応するバルブのオンーオフを制御することによって、液体循環管路３６と野菜積載部材５０との間の水路の連通又は遮断を制御することができる。さらに、回路制御を実現すると共に、それに併せて野菜積載部材５０と管路アセンブリとの間の水路接続を制御することができる。例えば、電気制御部が１つの野菜積載部材５０の回路インタフェースとの接続が切断された後、対応するバルブを閉めることによって、当該野菜積載部材５０まで接続された水路（当該野菜積載部材５０に栄養液を提供するための液体通路。即ち、当該野菜積載部材５０と連通する貫通孔３６２）の切断をも制御することができる。当該野菜積載部材５０が再び保温箱本体１０に入る際に、その回路インタフェースと回路アセンブリとは再び接続され、当該バルブを開けることによって、貫通孔３６２及び野菜積載部材５０が再び開通される。
【００２８】
具体的には、液体循環管路３６は、挿抜可能な継手を介して各野菜積載部材５０と水路連通される。挿抜可能な継手を介して野菜積載部材５０と液体循環管路３６とが接続されることで、メンテナンスが便利で、操作が容易であり、微調整によって比較的小さな接続転位を容易に修正することができる。例えば、各挿抜可能な継手は、液体循環管路３６の貫通孔３６２と野菜積載部材５０の高位液体入口との接続部に取り付けられてもよく、又は、液体循環管路３６の貫通孔３６２と野菜積載部材５０の低位液体出口との接続部に取り付けられてもよい。挿抜可能な継手は、具体的には、鋼心継手と、鋼心継手の外周に被覆されたフレキシブル材料層とを含む。野菜積載部材５０が保温箱本体１０から取り出されると共に、各継手もそれぞれ液体循環管路３６の中から抜き出される。野菜積載部材５０が再び保温箱本体１０の中に挿入される際に、鋼心継手の外周のフレキシブル材料を介して、接続の過程で小さな転位がある場合、挿入位置に対して微調整を行えば、管路アセンブリの継手と簡単にマッチすることができる。野菜積載部材５０がより容易に保温箱本体１０に挿入され、野菜積載部材５０と液体循環管路３６との水路連通が実現される。
【００２９】
挿抜可能な継手の周囲に、下容器３４を連通する流れガイド溝が設けられてもよい。これにより、野菜積載部材５０と液体循環管路３６との間の水路接続が切断される際に、当該流れガイド溝を介して、挿抜可能な継手に残った液体を下容器３４までガイドし、水漏れによる安全問題を回避することができる。
【００３０】
上記のバルブは、具体的には、挿抜可能な継手に対応するように取り付けられてよい。また、挿抜可能な継手の外周に、突出部が設けられてもよい。液体循環管路３６に水漏れが生じた場合、漏れた水が当該突出部に沿って下容器３４へ垂れる。これによって、継手における電気部品（例えば水路の開通及び遮断を制御するためのバルブ）と水との接触が回避される。
【００３１】
代替方法として、保温箱本体１０の背面には、保温箱本体１０の内部に対して保温を行うためのヒートポンプシステムがさらに設けられ、上記の電気制御部は、ヒートポンプシステムの状態を制御するためにも用いられる。１つの実施形態において、当該ヒートポンプシステムは、相互連通する圧縮機、凝縮器及び蒸発器を含んでよい。電気制御部は、具体的には、圧縮機の状態を制御するために圧縮機と接続し、保温箱本体１０の温度が野菜の低速成長に適切な範囲内に維持されるように保温箱本体１０の温度を制御することができる。また、ヒートポンプシステムは、保温箱本体１０の背面に配置されているため、構造が簡潔であり、メンテナンスが容易である。
【００３２】
代替方法として、保温箱本体１０の中に、電気制御部に温度感知信号を発信するための温度センサ、電気制御部に湿度感知信号を発信するための湿度センサ及び／又は電気制御部に濃度感知信号を発信するための濃度センサがさらに設けられている。電気制御部は、具体的には、温度感知信号に基づいてヒートポンプシステムの状態を制御し、又は、当該湿度感知信号に基づいて保温箱本体１０内の加湿器（例えば各霧化器２４）の状態を制御し、又は、濃度感知信号を収集して、下記に説明する制御パネル上に表示するために用いられる。温度センサ及び湿度センサを設けることによって、温度及び湿度に対する制御をより精確に行うことができる。濃度センサを設けることによって、ユーザが下容器３４の栄養液の濃度情報を随時に把握し且つ異常を迅速に発見することができる。
【００３３】
当該濃度センサは、具体的には、上容器３２の中に取り付けられてよい。これにより、野菜積載部材５０ごとに濃度センサを取り付ける必要がなくなる。また、濃度感知信号を介して、栄養液が十分であるか否かについて判断することもできる。
【００３４】
代替方法として、保温箱本体１０の筐体には、電気制御部と接続された制御パネルがさらに設けられている。当該制御パネルは、具体的には、例えばＰＡＤである。当該制御パネルは、具体的には、例えば温度、湿度、濃度、光強度などの制御パラメータを表示するために用いられてもよく、ユーザの制御コマンドを受信するために用いられてもよく、さらに、電気制御部を介して様々な制御操作を行うために用いられてもよい。
【００３５】
本発明に係る上記の実施形態において、実施形態の番号は、単に説明しやいために用いられ、実施形態の優劣を表すものではない。各実施形態では、重点について説明しており、詳細な説明がない部分についてはほかの実施形態の説明を参照するとよい。
【００３６】
プログラムによって関係するハードウェアに命令を行うことで、上記方法の実施形態の全部又は一部のステップを実現することができる。当該プログラムは、コンピュータ読み取り可能な記憶媒体の中に保存されてよい。当該プログラムを実行する際に、上記方法の実施形態を含むステップを実行する。上記の記憶媒体は、読み出し専用メモリ（ＲｅａｄーＯｎｌｙ  Ｍｅｍｏｒｙ、ＲＯＭと略称する。）、ランダムアクセスメモリ（Ｒａｎｄｏｍ  Ａｃｃｅｓｓ  Ｍｅｍｏｒｙ、ＲＡＭと略称する。）、ディスク又はＣＤ等、プログラムコードを記憶する様々な媒体を含む。
【００３７】
本発明に係る装置及び方法などの実施形態において、各部品又は各ステップは分解、組み合わせ及び／又は分解後の新たな組合せが可能であることは明らかである。これらの分解及び／又は新たな組合せは、本発明の同様効果の解決手段とみなされるべきである。また、上記の本発明に係る実施形態の説明において、１つの実施形態に対して説明した及び／又は示した特徴は、同様又は類似する方式で、１つ又は複数のほかの実施形態に使用することができ、ほかの実施形態における特徴と組み合せること又はほかの実施形態における特徴を代替することができる。
【００３８】
強調すべきなのは、“包括／含む”といった専門用語は、本文に使用される際に、特徴、要素、ステップ又はモジュールの存在を指すが、１つ又は複数のほかの特徴、要素、ステップ又はモジュールの存在又は付加を排除するものではない。
【００３９】
以上、本発明及びその利点について詳細に説明したが、添付の請求項に限定された発明の精神及び範囲を超えない限り、種々の改変、代替及び置換等を行うことができることについて理解すべきである。また、本発明の範囲は、明細書に記載された過程、設備、手段、方法及びステップの具体的な実施形態だけに限定されない。以上に説明した本発明の実施形態とほぼ同様の機能を実行し又はそれとほぼ同様の結果を取得することができる現在及び将来に開発されようとする過程、設備、手段、方法、ステップ等を使用できることは、当業者であれば理解できるであろう。従って、添付の請求項の旨は、それらの範囲内において、このような過程、設備、手段、方法及びステップが包括されることを意味する。
【図１】
2016519944.tif 000003
【図２】
2016519944.tif 000004
【図３】
2016519944.tif 000005
【図４】
2016519944.tif 000006
【国際調査報告】
2016519944.tif 000007
2016519944.tif 000008
2016519944.tif 000009
2016519944.tif 000010